(57)【要約】【課題】  大型陶磁器板を容易に持ち運ぶことができ、大型陶磁器板の施工、運搬時の作業性が向上した仕上材の提供。【解決手段】  大型陶磁器板と、前記大型陶磁器板の裏面に接着され、当該大型陶磁器板の裏面から、その一部が延在してなるベース部材とを備えてなる仕上材であって、前記ベース部材の延在された部分が、前記大型陶磁器板を持ち運ぶための持ち手として用いられることを特徴とする、仕上材。【選択図】  図１
2018053608.tif 000002
【特許請求の範囲】
【請求項１】
大型陶磁器板と、
前記大型陶磁器板の裏面に接着され、当該大型陶磁器板の裏面から、その一部が延在してなるベース部材と
を備えてなる仕上材であって、
前記ベース部材の延在された部分（以下、「延在部」という）が、前記大型陶磁器板を持ち運ぶための持ち手として用いられることを特徴とする、仕上材。
【請求項２】
仕上材を被施工面に固定するための施工方法であって、
仕上材を用意する工程と、
仕上材を固定部位に持ち運ぶ工程と、
仕上材を被施工面に固定する工程とを含んでなり、
前記仕上材は、大型陶磁器板と、前記大型陶磁器板の裏面に固定され、前記大型陶磁器板の裏面から、その一部が延在してなるベース部材とを備え、
前記持ち運ぶ工程は、前記ベース部材の延在された部分（以下、「延在部」という）を持ち手として用いることにより実施されることを特徴とする、施工方法。
【請求項３】
前記延在部の厚みが前記大型陶磁器板の厚みよりも小である、請求項２に記載の方法。
【請求項４】
前記仕上材を被施工面に固定する工程が、前記仕上材を被施工面に接着する工程を含み、
前記延在部の厚みが、前記接着により形成される接着層の厚みと同じかあるいはそれよりも小である、請求項２または３に記載の方法。
【請求項５】
前記ベース部材が裏打材である、請求項２〜４のいずれか一項に記載の方法。
【請求項６】
前記延在部が、少なくとも運搬時に施工者が把持可能な形状を有するものであるか、あるいは、当該延在部を保持可能で、運搬時に把持される器具を配置可能な形状を有するものである、請求項２〜５のいずれか一項に記載の方法。
【請求項７】
前記延在部が、屈曲形状または湾曲形状を有するものである、請求項２〜６のいずれか一項に記載の方法。
【請求項８】
前記延在部が、前記仕上材を前記被施工面に固定するための結合部である、請求項２〜７に記載の方法。
【請求項９】
前記大型陶磁器板の意匠面が凹凸形状をなす、請求項２〜８のいずれか一項に記載の方法。
【請求項１０】
前記延在部が、前記仕上材の裏面の一辺に複数存在する、請求項２〜９のいずれか一項に記載の方法。
【請求項１１】
前記延在部が、前記仕上材の裏面の対向する二辺それぞれに存在する、請求項２〜１０のいずれか一項に記載の方法。
【請求項１２】
前記延在部が、前記仕上材の裏面の隣接する二辺それぞれに存在する、請求項２〜１１のいずれか一項に記載の方法。
【請求項１３】
仕上材を被施工面に固定するための施工方法において、前記仕上材を固定部位に持ち運ぶための、当該仕上材の使用方法であって、
前記仕上材が、大型陶磁器板と、前記大型陶磁器板の裏面に固定され、前記大型陶磁器板の裏面から、その一部が延在してなるベース部材とを備え、
前記ベース部材の延在された部分（以下、「延在部」という）が、持ち手として用いられることを特徴とする、使用方法。
【請求項１４】
大型陶磁器板と、前記大型陶磁器板の裏面に固定され、前記大型陶磁器板の裏面のから、その一部が延在してなる部分（以下、「延在部」という）を有するベース部材とを備えてなる仕上材を、被施工面に固定するための施工方法における、前記仕上材を固定部位に持ち運ぶための持ち手としての前記延在部の使用方法。
【発明の詳細な説明】
【技術分野】
【０００１】
本発明は、大型陶磁器板と、当該大型陶磁器板の裏面に接着され、その一部が当該大型陶磁器板からはみ出たベース部材とを備えてなる仕上材、詳細には、前記ベース部材のはみ出し部を持ち手として用いて、大型陶磁器板を容易に持ち運ぶことを可能とする仕上材に関する。
【背景技術】
【０００２】
内装または外装材としてタイルなどの陶磁器板が広く用いられている。このような陶磁器板の裏面にネット等の部材を接着させる技術が知られている。この技術は主にモザイクタイルなどの小型の陶磁器板に対して適用され、陶磁器板の剥落防止、陶磁器板同士の連結、目地幅の調整、あるいは施工性の向上などの目的で用いられている。
【０００３】
例えば、特開２００６−０４５９７０号公報（特許文献１）、特開２００９−２２１７９３号公報（特許文献２）、特開２０１３−０２８９９６号公報（特許文献３）には、複数のタイルが裏面で連結されたタイルユニットが開示されている。連結材には、糸条を二次元（例えば、縦横）に展開したネットが用いられている。当該ネットを、所定の目地間隔で配列された複数のタイルの裏面に接着剤で張り付けてタイルユニットが製造される。
【０００４】
特許文献１では、糸条の展開の仕方を工夫してネットを特定の構造とすることにより、糸条とタイルとの接着強度を向上させることが提案されている。特許文献２では、糸条とタイルの接着、非接着位置を工夫することにより、目地幅を容易に調整することが提案されている。特許文献３では、特定材料の接着剤を用いることにより、高温下でもネットがタイルから剥がれないようにすることが提案されている。
【０００５】
また、特開２００５−１３９８９６号公報（特許文献４）には、タイルユニットから連結材をはみ出させて、タイルユニット同士を連結させる技術が提案されている。この技術によれば、タイル施工が困難な場所へ容易にタイル施工できるとされている。
【０００６】
一方、最近では目地を少なくでき、施工の簡略化や意匠の多様化を実現可能な大型陶磁器板が実用化され広く利用されてきている。このような大型陶磁器板を壁面などに施工する場合、大型陶磁器板は施工者により運ばれ、またはセッティングされる。大型陶磁器板は、大きくて重量物であるため、手で持って運びにくい。
【０００７】
また、小型のタイル等と同様、大型陶磁器板に対しても、その裏面にある種の部材を接着させる技術が知られている。例えば、大型陶磁器板の裏面にガラス繊維を織布としたシートを裏打材として接着した仕上材が知られている。この裏打材は、大型陶磁器板が破損したときに破片が飛散するのを防止している。飛散防止のための裏打材は大型陶磁器板と同等かそれ以下のサイズで設けられる。施工者が大型陶磁器板を取り扱う際には、裏打材の有無に係らず上記の課題が発生する。
【先行技術文献】
【特許文献】
【０００８】
【特許文献１】特開２００６−０４５９７０号公報
【特許文献２】特開２００９−２２１７９３号公報
【特許文献３】特開２０１３−０２８９９６号公報
【特許文献４】特開２００５−１３９８９６号公報
【発明の概要】
【発明が解決しようとする課題】
【０００９】
本発明らは、今般、大型無機質板の裏面に接着した部材の一部を当該大型陶磁器板からはみ出させ、このはみ出した部分を持ち手として用いることにより、手で持って運ぶことが困難な大型陶磁器板を容易に持ち運ぶことができる仕上材を実現した。従って、本発明は、大型陶磁器板を容易に持ち運ぶことができ、大型陶磁器板の施工、運搬時の作業性が向上した仕上材の提供を目的とする。
【課題を解決するための手段】
【００１０】
そして、本発明による仕上材は、
大型陶磁器板と、
前記大型陶磁器板の裏面に接着され、当該大型陶磁器板の裏面から、その一部が延在してなるベース部材と
を備えてなる仕上材であって、
前記ベース部材の延在された部分が、前記大型陶磁器板を持ち運ぶための持ち手として用いられることを特徴とする。
【００１１】
また、本発明による施工方法は、
仕上材を被施工面に固定するための施工方法であって、
仕上材を用意する工程と、
仕上材を固定部位に持ち運ぶ工程と、
仕上材を被施工面に固定する工程とを含んでなり、
前記仕上材は、大型陶磁器板と、前記大型陶磁器板の裏面に固定され、前記大型陶磁器板の裏面から、その一部が延在してなるベース部材とを備え、
前記持ち運ぶ工程は、前記ベース部材の延在された部分を持ち手として用いることにより実施されることを特徴とする。
【００１２】
また、本発明による使用方法は、
仕上材を被施工面に固定するための施工方法において、前記仕上材を固定部位に持ち運ぶための、当該仕上材の使用方法であって、
前記仕上材が、大型陶磁器板と、前記大型陶磁器板の裏面に固定され、前記大型陶磁器板の裏面から、その一部が延在してなるベース部材とを備え、
前記ベース部材の延在された部分が、持ち手として用いられることを特徴とする。
【００１３】
また、本発明による使用方法は、
大型陶磁器板と、前記大型陶磁器板の裏面に固定され、前記大型陶磁器板の裏面から、その一部が延在してなる部分（以下、「延在部」という）を有するベース部材とを備えてなる仕上材を、被施工面に固定するための施工方法における、前記仕上材を固定部位に持ち運ぶための持ち手としての前記延在部の使用方法である。
【図面の簡単な説明】
【００１４】
【図１】本発明による仕上材の全体構成を示す概要図である。図１（ａ）は、仕上材を大型陶磁器板の化粧面（表面）から見た概要図である。図１（ｂ）は、仕上材を大型陶磁器板の裏面から見た概要図である。
【図２】本発明による仕上材の一態様を示す図である。
【図３】本発明による仕上材の一態様を示す図である。
【図４】持ち手の補助具としてフックの形状の一例を示す図である。
【図５】本発明による仕上材が備えるベース部材の一態様を示す図である。
【図６】本発明による仕上材が備えるベース部材の一態様を示す図である。
【図７】本発明による仕上材が備えるベース部材の一態様を示す図である。
【図８】本発明による仕上材の一態様を示す図である。
【図９】本発明による仕上材の一態様を示す図である。
【図１０】本発明による仕上材の一態様を示す図である。
【発明を実施するための形態】
【００１５】
仕上材
図１は、本発明による仕上材の全体構成を示す概略図である。図１（ａ）は、仕上材を大型陶磁器板の化粧面（表面）から見た概略図である。図１（ｂ）は、仕上材を大型陶磁器板の裏面から見た概略図である。図１に示す態様によれば、本発明による仕上材１は、大型陶磁器板２と、大型陶磁器板２の裏面Ｓ２に接着され、大型陶磁器板２の裏面Ｓ２から、その一部が延在してなるベース部材３とを備える。さらに、ベース部材３の延在された部分（以下、「延在部」という）３１は、大型陶磁器板２を持ち運ぶための持ち手として用いられる。
【００１６】
さらに、本発明による仕上材１において、ベース部材３の延在部３１は、大型陶磁器板２を持ち運ぶための持ち手として用いられる。本発明において、延在部３１を「持ち手として用いる」とは、施工者が延在部３１を直接手で掴んで、すなわち把持して大型陶磁器板２を持ち運ぶ態様や、延在部３１に引掛ける、通すなどして延在部３１に配置され、もって延在部３１を保持可能な器具（例えば、フックまたは棒）を用いて延在部３１を保持し、施工者がこの器具を手で持って大型陶磁器板２を持ち運ぶ態様、つまり施工者が延在部３１をこの器具を介して間接的に手で保持して大型陶磁器板２を持ち運ぶ態様を含む意味である。また、延在部３１を「持ち手として用いる」とは、施工者が延在部３１を手で掴んで大型陶磁器板２を持ち運ぶ態様や、施工者ではなく、例えば、手と同様の機能を有する機器、またはこの機器を備えた装置が、当該機器に延在部３１を保持させて（例えば、引掛けて）、大型陶磁器板２を持ち運ぶ態様を含む意味である。
【００１７】
大型陶磁器板２は重量物である。また、大型陶磁器板２は脆性材料であるが、（ガラス板などと異なり）撓む性質を有する。そのため、大型であるほど手で持って運ぶことが難しい。大型ガラス板などを持ち運ぶための吸盤が知られているが、大型陶磁器板２の表面に意匠が施されているときは、その面状（例えば、凹凸面状）によって吸盤が吸着しにくい場合がある。この場合、施工者は大型陶磁器板２を手で持って運ぶ必要がある。本発明によれば、延在部３１を持ち手として用いることにより、手で持って運ぶことが難しい大型陶磁器板２、例えば表面に意匠面を有する大型陶磁器板や、意匠面が凹凸形状をなす大型陶磁器板を容易に持ち運ぶことが可能となる。その結果、大型陶磁器板２の施工、運搬時の作業性が向上し、また大型陶磁器板２の施工、取り回し時の安全性を確保することができる。具体的には、大型陶磁器板２が手から離れる等による不意の落下を防止したり、運搬時の施工者の不安定姿勢による転倒を防止したりすることが可能となる。
【００１８】
大型陶磁器板
本発明による仕上材１が備える大型陶磁器板２は、平板として、外装もしくは内装の壁、または天井の仕上材に好ましく用いられる。従って、大型陶磁器板２は、好ましくは意匠が施された化粧面Ｓ１と、被施工面に張り付けられる裏面Ｓ２とを備える。本発明の一つの態様によれば、大型陶磁器板２の大きさは、１辺が８０ｃｍ以上であり、９０ｃｍ以上、１ｍ以上であることが好ましい。また、一辺が５ｍ以下、３ｍ以下、２ｍ以下であることが好ましい。
【００１９】
また、大型陶磁器板２は、軽量化のため、または、後記する本発明による施工方法が、その一態様として、仕上材１の被施工面への二重化された固定方法とすることができることから、薄型であることが好ましい。本発明の一つの態様によれば、大型陶磁器板２は、厚さが、１０ｍｍ以下、８ｍｍ以下、６ｍｍ以下であることが好ましい。また、厚さが１ｍｍ以上、３ｍｍ以上であることが好ましい。
【００２０】
本発明において大型陶磁器板２は、その表面に釉薬層を有していてもよい。釉薬の成分は特に限定されない。釉薬層の形成は、成形後に施釉し、成形体と一体的に焼成するか、または、焼成体（仮焼体）に施釉した後に焼成するか、いずれかの方法を用いてもよい。さらに、施釉の前後に乾燥工程を設けてもよい。
【００２１】
ベース部材
本発明による仕上材１が備えるベース部材３は、大型陶磁器板２の裏面Ｓ２に接着された部分（以下、裏面接着部３２ともいう）と、裏面接着部３２の一部が、大型陶磁器板２の裏面Ｓ２から延在された部分３１（延在部３１）とを有する。
【００２２】
延在部
延在部３１は、大型陶磁器板２の裏面から裏面接着部３２の一部が延在し、大型陶磁器板２の裏面に接着していない部分である。延在部３１は、大型陶磁器板２の裏面に接着していない限り、裏面からいずれの方向に向かって延在していてもよい。延在の方向は、例えば、横方向または縦方向のいずれであってもよく、あるいはこれらの組合せであってもよい。本発明において、「横方向」とは、大型陶磁器板２の裏面Ｓ２の面方向、すなわち裏面Ｓ２に沿う方向を意味し、「縦方向」とは大型陶磁器板２の裏面Ｓ２の垂直方向を意味する。縦方向に延在部３１を設けた場合、延在部３１は大型陶磁器板２を表面から観察しても見えないので、大型陶磁器板２を張り付けた後の外観に優れる。横方向に延在部３１を設けた場合、大型陶磁器板２の把持作業が容易である。
【００２３】
（形状）
延在部３１は、少なくとも大型陶磁器板２を持ち運ぶ時（運搬時）に、施工者が把持可能な形状を有していればよい。つまり、延在部３１は、少なくとも運搬時に施工者が把持可能な形状を有していればよく、それ以外の時（例えば、静置時や保管時）に別の形状を有していてもよい。例えば、静置時に折り畳まれた形状（把持困難な形状）であっても、運搬時にこれを広げて把持可能な形状となればよい。「把持可能な形状」とは、手がかりとなる形状を意味し、例えば、成人が延在部３１に手を掛けて、あるいは掴んで、通常の力で大型陶磁器板を持ち運ぶことを可能とする形状を意味する。
【００２４】
また、延在部３１は、少なくとも大型陶磁器板２を持ち運ぶ時（運搬時）に、当該延在部３１を保持可能で、運搬時に施工者に把持される器具を配置可能な形状を有していればよい。例えば、延在部３１に引掛ける、通すなどして延在部３１に配置され、もって延在部３１を保持可能な器具（例えば、フックまたは棒）を用いて延在部３１を保持し、施工者がこの器具を手で持って、通常の力で大型陶磁器板を持ち運ぶことを可能とする形状が挙げられる。
【００２５】
本発明の好ましい態様によれば、延在部３１は運搬時に、屈曲形状、または湾曲形状を有する。施工者は延在部３１に形成されたこれら形状を持ち手として用いて、大型陶磁器板２を持ち運ぶ。屈曲形状には、Ｔ字状、Ｙ字状、Ｖ字状、Ｌ字状、コの字状などが含まれる。また、屈曲形状には、その一態様として閉じた形、例えば環状、ロの字状、Ｄ字状が含まれる。湾曲形状の例としては、屈曲形状よりも緩やかなカーブで形成された形状、例えばＳ字状、Ｃ字状が含まれる。
【００２６】
本発明において、閉じた形とは、延在部３１自体が閉じた形を有する場合と、延在部３１の形状と大型陶磁器板２の裏面の辺とで閉じた形を有する場合の双方を含む意味である。閉じた形として環状を例に説明すると、環状とは、延在部３１自体が環状を有する場合と、延在部３１の形状と大型陶磁器板２の裏面の辺とで環状を有する場合とを含む。例えば図１に示す態様によれば、延在部３１は、延在部３１の形状と大型陶磁器板２の裏面の辺とで環状を形成している。従って、環状を有する延在部３１を形成するには、例えば、裏面接着部３２を構成する素材が長尺材である場合、この長尺材の両端を張り合わせてそれ自体で環を形成する、あるいは、長尺材の両端のそれぞれを磁器板の裏面に接着し、両端が接着された辺と長尺材とで環を形成する。
【００２７】
（物性）
本発明において、延在部３１は、これを持ち手として大型陶磁器板２を持ち運ぶことを可能とするものであるため、それ自体が大型陶磁器板２の重さに耐え得る引張り強度を有することが好ましい。より具体的には、延在部３１は裏面接着部３２の一部が延在したものであるため、裏面接着部３２と延在部が一体として大型陶磁器板３２を持ち上げることができる引張り強度を有することが好ましい。
【００２８】
延在部３１は、このような引張り強度を有する構造として、大型陶磁器板２の重さを適度に分散するような構造を有することが好ましい。手に持ったときに、手に掛かる力が適度に分散されるような構造としては、例えば、指が掛かる場所が多い、つまり手との接触面積が広い構造が好ましく、例えば環状構造が好ましい。
【００２９】
延在部３１は、それ自体が上記のような引張り強度を有する材料として、ガラス繊維、炭素繊維、合成繊維、合成樹脂、合成皮革、木材、金属などで構成されていることが好ましい。
【００３０】
上記構造と上記材料を適宜組合せて、より適切な延在部としてもよい。例えば、ベース部材３を構成する材料として糸状物を用いる場合、環を形成する端同士を、または、経糸と緯糸とを、融着させたり合成樹脂で接着したりして、上記強度を確保するとともに、ほつれを防止することができる。
【００３１】
本発明において、延在部３１は、これを持ち手として大型陶磁器板２を持ち運ぶ際、延在部３１が大型陶磁器板２の裏面から剥がれることがない接着強度で、大型陶磁器板２の裏面と接着していることが好ましい。つまり、裏面接着部３２が大型陶磁器板２の裏面から剥がれることがない接着強度で、大型陶磁器板２の裏面と接着していることが好ましい。
【００３２】
裏面接着部３２は、このような接着強度を有する構造として、大型陶磁器板２の裏面との接着面積が広い構造を有することが好ましい。このような構造としては、例えば、シート状構造が好ましい。
【００３３】
裏面接着部３２は、それ自体が上記のような接着強度を有する材料として、ガラス繊維、炭素繊維、合成繊維、合成樹脂、合成皮革、木材、金属などで構成されていることが好ましい。
【００３４】
ベース部材３、とりわけ裏面接着部３２と大型陶磁器板２の裏面との接着強度を良好に確保するためには、両者を接着するための接着剤自体が高い接着力を有することが好ましい。このような接着剤の材料としては、例えばウレタン樹脂、エポキシ樹脂、変性シリコーン樹脂などが挙げられる。
【００３５】
本発明の好ましい態様によれば、延在部３１は薄片物である。薄片物としては、例えば布帛、繊維を編んだもの、繊維を束ねたもの、ひも状物、シート状物、ネット状物などが挙げられる。ひも状物は扁平な断面を有することが好ましい。これにより、ひも状物と大型陶磁器板２の裏面との接着強度を良好に確保することができる。
【００３６】
本発明の好ましい態様によれば、延在部３１の厚みは大型陶磁器板２の厚みよりも小である。また本発明のより好ましい態様によれば、接着剤を用いて仕上材１を被施工面に固定する場合、延在部３１の厚みが、接着剤により形成される接着層の厚みと同じかあるいはそれよりも小である。先に述べたとおり、大型陶磁器板２は厚みが薄いものであることが好ましく、薄型の大型陶磁器板２を、接着と固定部材との二つの手段により二重化して被施工面に固定する場合、接着に用いられる接着剤により、大型陶磁器板と被施工面との間に形成される接着層の厚みが薄い方が好ましい。延在部３１の厚みを、大型陶磁器板２の厚みよりも小さく、好ましくは、接着層の厚みと同じかあるいはそれよりも小さくすることにより、被施工面に固定された大型陶磁器板２の裏面から延在した延在部３１を覆うように、他の大型陶磁器板２を張り付けることが可能となる。また接着層の接着力が良好に維持され、さらに大型陶磁器板２の化粧面の意匠が阻害されることもない。本発明の一つの態様によれば、延在部の厚みは、接着剤層の厚みが３ｍｍ以下である場合、２ｍｍ以下、１．５ｍｍ以下、１ｍｍ以下であることが好ましい。また延在部の厚みは、０．１ｍｍ以上、０．２ｍｍ以上、０．５ｍｍ以上であることが好ましい。
【００３７】
延在部３１の厚みが薄いことにより、被施工面に固定された大型陶磁器板２の裏面から延在した延在部３１を覆うように、他の大型陶磁器板２を張り付けることが可能となるため、延在部３１を、仕上材１を被施工面に固定するための結合部としても用いることができる。つまり、本発明の好ましい態様によれば、延在部３１は、仕上材１を被施工面に固定する際に仕上材１を固定部位に持ち運ぶための持ち手として用いられるだけでなく、仕上材１を被施工面に固定するための結合部としても用いられる。この場合、延在部にビス等を打ち込み躯体に固定する。仕上材１の被施工面への固定は通常金具等の固定部材を用いて実施されるが、本態様では延在部３１が金具の役割も兼ねるため施工性が向上する。なお、本発明において、大型陶磁器板２を被施工面に固定した後、延在部３１を切除してもよい。
【００３８】
延在部３１を結合部として利用する場合、延在部３１（結合部）と被施工面とを固定具により固定する固定点は目地部に設けてもよく、また上述したように隣り合う大型陶磁器板２の下となる位置に設けてもよい。後者の場合、本来持ち手として機能する延在部３１が施工の邪魔になることもない。
【００３９】
（ベース部材の具体的構成）
以下、裏面接着部３２と延在部３１とを有するベース部材３の具体的構成について、図１〜１０を参照しつつ説明する。図２〜９では、裏面接着部３２の一部が、大型陶磁器板２の裏面の少なくとも一つの辺から横方向に延在した延在部３１を有するベース部材３の例を示す。図１０では、裏面接着部３２の一部が、大型陶磁器板２の裏面から縦方向に延在した延在部３１を有するベース部材３の例を示す。なお、ベース部材３は、縦方向の延在部３１と横方向の延在部３１双方を備えていてもよい。
【００４０】
本発明の一つの態様によれば、ベース部材３は、把持可能な形状が全体にわたって一様に形成され、かつ大型陶磁器板２よりも大きい素材の一部が大型無機質板２からはみ出るように張り合わせられた構成を有する。この態様では、上記素材に形成された多数の把持可能な形状のうち少なくとも１つの全部または一部が大型陶磁器板からはみ出るように延在部３１を形成することができる。
【００４１】
例えば図２に示す態様によれば、延在部３１は丸穴の持ち手を有する。ベース部材３は、例えば、全体にわたって連続した丸穴が一様に設けられたシート状の素材を、その一部がはみ出るように大型陶磁器板２に張り付けて作製される。延在部３１の丸穴は成人の指が難なく入る大きさに調整されている。施工者が軍手をはめて作業することを考慮すると、丸穴はある程度指の幅よりも大きいことが好ましい。
【００４２】
また図３に示す態様によれば、延在部３１は四角い穴の持ち手を有する。ベース部材３は、例えば、全体にわたって連続した四角い穴が一様に高密度で設けられたシート状の素材を、その一部がはみ出るように大型陶磁器板２に張り付けて作製される。この例では、延在部３１が小さく、また延在部３１の四角い穴も小さい。この小さな四角い穴には成人の指が入り辛い可能性があるが、例えば図４に示すようなフックなどの補助具をこの小さな四角い穴に差し込み、このフックを手で持って大型陶磁器板２を運ぶことができる。延在部３１自体が手で持ち難い形状を有していても、フックや仕上材の幅（図３の左右方向の長さ）よりも長い棒等の器具を用いることにより、大型陶磁器板２を間接的に手で運ぶことができる。
【００４３】
図２、３に示される態様においては、ベース部材３がシート状の素材からなるため、織物で構成されたネット状素材の様にほつれてしまう可能性がなく、またベース部材３と大型陶磁器板２との接着強度が高い。さらに、延在部３１の持ち手形状が連続性のある開口とされているため、把持する場所が制限されず、施工の自由度が高い。
【００４４】
本発明の一つの態様によれば、ベース部材３は、裏面接着部３２と、その一部が大型陶磁器板２からはみ出し、当該はみ出した部分により形成される把持可能な形状とからなる構成を有する。このようなベース部材３は、例えば、裏面接着部３２を作製し、その一部を大型陶磁器板２からはみ出させ、はみ出した部分を把持可能な形状とすることにより作製される。裏面接着部３２の作製は、大型陶磁器板２の接着耐久性、施工時の安全性、耐衝撃性、または破片飛散防止性などを考慮しつつ行う。例えば、図５、６、７に示す態様によれば、糸状またはひも状の素材が大型陶磁器板の裏面に格子状、網目状に張り付けられて裏面接着部３２が構成される。格子状または網目状は、交差する糸状またはひも状素材が互いに上下となるように配置することができる。これにより、裏面接着部３２自体の強度を高めることができる。大型陶磁器板２からはみ出した裏面接着部３２の一部である糸状またはひも状素材により得られた複数の網目の全部または一部を延在部３１として利用することができる。その際、糸状またはひも状素材の端部は環状の延在部に存在しないことが、強度の面では好ましく、例えば、糸状またはひも状素材の中央部にて延在部を形成し、その端部を裏面接着部に配置して大型陶磁器板に接着する。また例えば、糸状またはひも状素材の端同士を編み合わせ、結び、あるいは熱融着しても良い。
【００４５】
本発明の一つの態様によれば、例えば図７に示すように、ベース部材３は、大型陶磁器板２の裏面に張り付けられた環状の長尺素材と、この素材の両端の環状部が大型陶磁器板２からはみ出して形成された把持可能な形状とからなる構成を有する。
【００４６】
本発明の好ましい態様によれば、例えば図２、３、５〜７に示されるように、延在部３１は、仕上材１の裏面の一つの辺に複数存在する。
【００４７】
本発明の好ましい態様によれば、例えば図２、３、５〜７に示されるように、延在部３１は、仕上材１の裏面の対向する二辺それぞれに存在する。
【００４８】
本発明の好ましい態様によれば、例えば図６、７に示されるように、延在部３１は、仕上材１の裏面の隣接する二辺それぞれに存在する。
【００４９】
また図８に示す態様によれば、ベース部材３はシート素材からなり、大型陶磁器板２の裏面全体にこのシート素材を張り付け、延在部に最小限の持ち手（この例では成人の指が入る穴）が設けられている。この態様では、大型陶磁器板２の裏面全体にこのシート素材が張り付けられているため、大型陶磁器板２とベース部材の接着力を非常に高くすることができる。
【００５０】
また図９に示す態様によれば、ベース部材３は、図５〜７に示す態様と同様、大型陶磁器板の裏面に、糸状またはひも状の素材を格子状、網目状に張り付けた裏面接着部、あるいは網目構造を有するネット状物を張り付けた裏面接着部を有する。そして、これらの裏面接着部から延在した延在部は複数の輪が設けられている。この態様では、これら複数の輪のいずれかを手で掴んで仕上材を持ち運ぶこともできるし、輪に棒状の治具を差し込んで仕上材を縦の状態で担いで持ち運ぶこともできる。
【００５１】
また図１０に示す態様によれば、ベース部材３は、大型陶磁器板の裏面に、糸状またはひも状の素材を格子状、網目状に張り付けた裏面接着部、あるいは網目構造を有するネット状物を張り付けた裏面接着部を有する。そして、これらの裏面接着部の一部を縦方向に延在して、つまり裏面接着部の途中に未接着部を設けるようにして、延在部を設けている。この態様では、延在部を手で掴んで仕上材を持ち運ぶこともできるし、延在部に棒状の治具を差し込んで仕上材を縦の状態で担いで持ち運ぶこともできる。
【００５２】
本発明の好ましい態様によれば、ベース部材３は裏打材である。つまり、この態様では、裏面接着部３２が裏打材で構成され、この裏打材の一部が延在して延在部３１を構成している。本発明において、裏打材は大型陶磁器板２を補強するための部材である。ベース部材３が裏打材であることにより、裏打材が延在された延在部３１が大型陶磁器板２を容易に持ち運ぶことを可能とするとともに、裏打材本体である裏面接着部３２が、大型陶磁器板２の接着耐久性（信頼性）、施工取り回し時の安全性、または耐衝撃性を十分確保することができる。さらに、裏打材本体である裏面接着部３２は、仮に大型陶磁器板２が破損した場合であっても破片の飛散を防止することができる。本態様において、例えば裏打材の網目の大きさを調整するなどして、被施工面と大型陶磁器板２との直接接着面積を確保してもよい。これにより、両者間の接着強度が向上し、上記の効果、すなわち大型陶磁器板２の接着耐久性、施工時の安全性、耐衝撃性、または破片飛散防止性をより向上させることができる。裏打材としては、例えばガラス繊維、合成繊維、合成樹脂、木材、金属などで構成された網目構造を有するネット状物が挙げられる。裏打材は、ネット状物の網目（開口）の大きさ、配置、密度などを適宜調整して、上記接着耐久性などの効果を確保する。また、材料として糸状物やひも状物を用いる場合、これらにより得られた複数の網目の全部または一部を裏打材として利用することができる。その際、糸状物またはひも状物の端部は環状の延在部に存在しないことが、強度の面では好ましく、例えば、糸状物またはひも状物の中央部にて延在部を形成し、その端部を裏面接着部に配置して大型陶磁器板に接着する。また例えば、糸状物またはひも状物の端同士を編み合わせ、結び、あるいは熱融着しても良い。
【００５３】
用途
本発明による仕上材１は、柱などの躯体や、間柱、ライトゲージスチール（ＬＧＳ）等のスタッド、またはパネルフレームなどの下地の外側に配置された外装もしくは内装の壁の表面（以下、被施工面ともいう）に固定されて用いられる。
【００５４】
施工方法
被施工面への仕上材１の固定は、例えば以下のように行うことができる。まず、大型陶磁器板２にベース部材３を張り合わせてなる仕上材１を用意する。仕上材１の延在部３１を持ち手として、この仕上材１を固定部位まで持ち運ぶ。仕上材１の被施工面への固定は公知の任意の方法を用いて行うことができる。接着剤を用いて仕上材１を被施工面に固定してよい。例えば、接着剤を、仕上材１の裏面または被施工面、好ましくは張り合わせる面の全面に塗付し、仕上材１を被施工面に張り合わせて、接着する。また、固定部材を用いて仕上材１を被施工面に固定してよい。例えば、仕上材１の裏面に形成されるスリットに係止する係止部、および被施工面に固定具を介して固定される固定部を有する固定部材を用いることができる。固定部材の係止部を仕上材の裏面のスリットに係止し、固定部材の固定部に固定具を貫通させて、固定部と被施工面を固定する。被施工面の内側に躯体や下地が配置されている場合は、固定具を躯体や下地に貫通させて、固定部と被施工面を固定してもよい。固定具の例としては、タッピンねじ、ドリリングねじ、釘やリベットなどが挙げられ、頭部の形状は、固定部全体の厚みを考慮して適宜決定される限り制限されないが、低頭形状などで不陸とならない方が好ましい。さらに、接着剤と固定部材との二つの手段により、仕上材１を被施工面に二重化して固定してもよい。経時的な劣化などで接着剤の接着力が十分でなくなった場合でも、固定部材を用いた固定手段が存在するため、被施工面からの仕上材１の剥落や、剥落に伴う被害を防ぐことができる。
【００５５】
本発明の一つの態様によれば、本発明による施工方法は、
仕上材を被施工面に固定するための施工方法であって、
仕上材を用意する工程と、
仕上材を固定部位に持ち運ぶ工程と、
仕上材を被施工面に固定する工程とを含んでなり、
前記仕上材は、大型陶磁器板と、前記大型陶磁器板の裏面に固定され、前記大型陶磁器板の裏面から、その一部が延在してなるベース部材とを備え、
前記持ち運ぶ工程は、前記ベース部材の延在された部分を持ち手として用いることにより実施されることを特徴とする。
【００５６】
本発明の一つの態様によれば、前記延在部の厚みが前記大型陶磁器板の厚みよりも小である。
【００５７】
本発明の一つの態様によれば、前記仕上材を被施工面に固定する工程が、前記仕上材を被施工面に接着する工程を含み、
前記延在部の厚みが、前記接着により形成される接着層の厚みよりも小である。
【００５８】
本発明の一つの態様によれば、前記ベース部材が裏打材である。
【００５９】
本発明の一つの態様によれば、前記延在部が、少なくとも運搬時に施工者が把持可能な形状を有するものであるか、あるいは、当該延在部を保持可能で、運搬時に把持される器具を配置可能な形状を有するものである。
【００６０】
本発明の一つの態様によれば、前記延在部が、屈曲形状または湾曲形状を有するものである。
【００６１】
本発明の一つの態様によれば、前記延在部が、前記仕上材を前記被施工面に固定するための結合部である。
【００６２】
本発明の一つの態様によれば、前記大型陶磁器板の意匠面が凹凸形状をなす。
【００６３】
本発明の一つの態様によれば、前記延在部が、前記仕上材の裏面の一辺に複数存在する。
【００６４】
本発明の一つの態様によれば、前記延在部が、前記仕上材の裏面の対向する二辺それぞれに存在する。
【００６５】
本発明の一つの態様によれば、前記延在部が、前記仕上材の裏面の隣接する二辺それぞれに存在する。
【００６６】
仕上材の使用方法
また、本発明の一つの態様によれば、本発明による使用方法は、
仕上材を被施工面に固定するための施工方法において、前記仕上材を固定部位に持ち運ぶための、当該仕上材の使用方法であって、
前記仕上材が、大型陶磁器板と、前記大型陶磁器板の裏面に固定され、前記大型陶磁器板の裏面から、その一部が延在してなるベース部材とを備え、
前記ベース部材の延在された部分が、持ち手として用いられることを特徴とする。
【００６７】
本発明の一つの態様によれば、前記延在部の厚みが前記大型陶磁器板の厚みよりも小である。
【００６８】
本発明の一つの態様によれば、前記仕上材を被施工面に固定するための施工方法が、前記仕上材を被施工面に接着する工程を含み、
前記延在部の厚みが、前記接着により形成される接着層の厚みよりも小である。
【００６９】
本発明の一つの態様によれば、前記ベース部材が裏打材である。
【００７０】
本発明の一つの態様によれば、前記延在部が、少なくとも運搬時に施工者が把持可能な形状を有するものであるか、あるいは、当該延在部を保持可能で、運搬時に把持される器具を配置可能な形状を有するものである。
【００７１】
本発明の一つの態様によれば、前記延在部が、屈曲形状または湾曲形状を有するものである。
【００７２】
本発明の一つの態様によれば、前記延在部が、前記仕上材を前記被施工面に固定するための結合部である。
【００７３】
本発明の一つの態様によれば、前記大型陶磁器板の意匠面が凹凸形状をなす。
【００７４】
本発明の一つの態様によれば、前記延在部が、前記仕上材の裏面の一辺に複数存在する。
【００７５】
本発明の一つの態様によれば、前記延在部が、前記仕上材の裏面の対向する二辺それぞれに存在する。
【００７６】
本発明の一つの態様によれば、前記延在部が、前記仕上材の裏面の隣接する二辺それぞれに存在する。
【００７７】
延在部の使用方法
また、本発明の一つの態様によれば、本発明による使用方法は、
大型陶磁器板と、前記大型陶磁器板の裏面に固定され、前記大型陶磁器板の裏面から、その一部が延在してなる部分（以下、「延在部」という）を有するベース部材とを備えてなる仕上材を、被施工面に固定するための施工方法における、前記仕上材を固定部位に持ち運ぶための持ち手としての前記延在部の使用方法である。
【００７８】
本発明の一つの態様によれば、前記延在部の厚みが前記大型陶磁器板の厚みよりも小である。
【００７９】
本発明の一つの態様によれば、前記仕上材を被施工面に固定するための施工方法が、前記仕上材を被施工面に接着する工程を含み、
前記延在部の厚みが、前記接着により形成される接着層の厚みよりも小である。
【００８０】
本発明の一つの態様によれば、前記ベース部材が裏打材である。
【００８１】
本発明の一つの態様によれば、前記延在部が、少なくとも運搬時に施工者が把持可能な形状を有するものであるか、あるいは、当該延在部を保持可能で、運搬時に把持される器具を配置可能な形状を有するものである。
【００８２】
本発明の一つの態様によれば、前記延在部が、屈曲形状または湾曲形状を有するものである。
【００８３】
本発明の一つの態様によれば、前記延在部が、前記仕上材を前記被施工面に固定するための結合部である。
【００８４】
本発明の一つの態様によれば、前記大型陶磁器板の意匠面が凹凸形状をなす。
【００８５】
本発明の一つの態様によれば、前記延在部が、前記仕上材の裏面の一辺に複数存在する。
【００８６】
本発明の一つの態様によれば、前記延在部が、前記仕上材の裏面の対向する二辺それぞれに存在する。
【００８７】
本発明の一つの態様によれば、前記延在部が、前記仕上材の裏面の隣接する二辺それぞれに存在する。
【符号の説明】
【００８８】
１・・仕上材、２・・大型陶磁器板、３・・ベース部材、３１・・延在部、３２・・裏面接着部
【図１】
2018053608.tif 000003
【図２】
2018053608.tif 000004
【図３】
2018053608.tif 000005
【図４】
2018053608.tif 000006
【図５】
2018053608.tif 000007
【図６】
2018053608.tif 000008
【図７】
2018053608.tif 000009
【図８】
2018053608.tif 000010
【図９】
2018053608.tif 000011
【図１０】
2018053608.tif 000012